(57)【要約】【課題】止水材本体の鉛直剛性を高めつつ、橋軸方向における伸縮性を高める。【解決手段】止水材本体２０を、橋軸方向Ｌに相対する２つの内面１２、１２の間の遊間１７に設ける。止水材本体２０は、ハニカム構造体１９と、止水膜３６を備える。ハニカム構造体１９を、セル隔壁３１によって仕切られた、上下に延びるセルを複数並べて構成する。ハニカム構造体１９が橋軸方向Ｌに伸縮できるように、セル隔壁３１は屈曲部３４を有する。セルそれぞれを止水膜３６によって覆う。止水膜３６を、セルを形成するセル隔壁３１の上端全周に接続してそのセル隔壁３１と一体に形成し、上方に膨らませる。【選択図】図１
2010189929.tif 000002
【特許請求の範囲】
【請求項１】
所定方向に相対する２つの端面の間の遊間に設けられ、隔壁によって仕切られた上下に延びるセルが複数並べられて形成されるハニカム構造体を備え、
前記ハニカム構造体が前記所定方向に伸縮できるように、前記隔壁が屈曲部又は湾曲部を有しており、
前記セルそれぞれは、そのセルを形成する隔壁の上端全周に接続されてその隔壁と一体に形成されるとともに、上方に膨らんだ形状を有する止水膜によって覆われていることを特徴とする遊間用止水材。
【請求項２】
前記止水膜は、上面と、その上面と前記隔壁の上端とを接続する側面とを備えることを特徴とする請求項１に記載の遊間用止水材。
【請求項３】
前記側面は、前記所定方向に伸縮できるように、屈曲部又は湾曲部を有することを特徴とする請求項２に記載の遊間用止水材。
【請求項４】
前記側面に形成された屈曲部又は湾曲部は、前記隔壁の屈曲部又は湾曲部に接続することを特徴とする請求項３に記載の遊間用止水材。
【請求項５】
前記上面は平面であることを特徴とする請求項２〜４のいずれか１項に記載の遊間用止水材。
【請求項６】
前記側面は、前記上面に向かうに従って窄まるように内側に傾斜していることを特徴とする請求項２〜５のいずれか１項に記載の遊間用止水材。
【請求項７】
隣接した２つのセルそれぞれを覆う止水膜は、所定の間隙を介して配置されることを特徴とする請求項１〜６のいずれか１項に記載の遊間用止水材。
【請求項８】
前記ハニカム構造体には、前記所定方向に垂直である平面隔壁が前記所定方向に複数並べられており、
前記所定方向に隣接する２つの平面隔壁の間には、前記屈曲部又は湾曲部を有する隔壁によって仕切られる複数の前記セルが形成されていることを特徴とする請求項１〜７のいずれか１項に記載の遊間用止水材。
【請求項９】
前記隣接する２つの平面隔壁の間に設けられた前記隔壁は、前記所定方向に直交する方向に沿って複数並べられると共に、それぞれが前記屈曲部又は湾曲部を有することによって、前記直交する方向に沿う一方向又はその反対方向に向けて膨らんでおり、
前記隣接する２つの平面隔壁の間の複数の隔壁は、前記直交する方向に沿って、交互に前記一方向及び前記反対方向に膨らんでいることを特徴とする請求項８に記載の遊間用止水材。
【請求項１０】
前記隣接する２つの前記平面隔壁の間に設けられた前記隔壁は、９０°で屈曲する屈曲部を有するとともに、前記平面隔壁に４５°の角度で接続されることを特徴とする請求項８又は９に記載の遊間用止水材。
【請求項１１】
前記隣接する２つの前記平面隔壁の間に設けられた前記隔壁の厚さは、同一の高さ位置において、前記平面隔壁の厚さよりも薄いことを特徴とする請求項８〜１０のいずれか１項に記載の遊間用止水材。
【請求項１２】
前記ハニカム構造体は所定の間隙を介して、前記所定方向に直交する方向に複数並べられるとともに、その間隙の上にも止水膜が設けられることを特徴とする請求項１〜１１のいずれか１項に記載の遊間用止水材。
【請求項１３】
前記ハニカム構造体及び前記止水膜から構成される止水材本体の前記所定方向における端部には、耳部が連設されており、
前記耳部の上方には、前記端面に固定される固定部材が設けられるとともに、前記耳部の下方に押え部材が設けられ、
前記押え部材は前記耳部を挟み込みつつ前記固定部材に固定されており、
さらに前記ハニカム構造体は、前記押え部材を介して、前記端面に前記所定方向に押圧されて圧縮されることを特徴とする請求項１〜１２のいずれか１項に記載の遊間用止水材。
【請求項１４】
前記押え部材は、前記耳部を押さえつけて挟み込むための押え板部と、
前記押え板部から下向きに突出する突出板部とを備え、
前記ハニカム構造体は前記突出板部によって前記所定方向に押圧されることを特徴とする請求項１３に記載の遊間用止水材。
【発明の詳細な説明】
【技術分野】
【０００１】
本発明は、橋梁等の継目に形成される遊間から雨水等の落下を防止するための遊間用止水材に関する。
【背景技術】
【０００２】
橋梁や高架道路は、温度変化に起因して膨張や収縮が生じるので、これらの膨張・収縮を吸収するために、一定間隔ごとに遊間が設けられている。遊間の表面には、遊間距離の変化に対応できるように、噛み合うように配置された一対の櫛形鋼板ジョイントが配置されている。橋梁に降水した雨水が櫛形鋼板ジョイントの間から遊間を介して下方に漏水すると、橋梁の橋桁及び支承部分が腐食されるので、遊間には漏水を防止するための遊間用止水材が設けられることが一般的である。
【０００３】
遊間用止水材としては、止水シートの一面に、隔壁から構成された、複数の筒状の凸部が形成された凸型止水材と、止水シートの一面に、隔壁から構成された複数の凹部が形成された凹型止水材とを備え、凹部内部に凸部が嵌合されて構成されるものが知られている（特許文献１参照）。このような遊間用止水材では、隔壁によって鉛直剛性が高められおり、止水材の上に土砂等が堆積しても、止水材の沈下が防止されるので、止水材の耐久性が良好なものとなっている。また、橋軸方向に沿って遊間距離が変化したとき、その距離変化に追従して遊間用止水材が橋軸方向に伸縮できるように、止水シートや隔壁に屈曲部や湾曲部が設けられている。
【先行技術文献】
【特許文献】
【０００４】
【特許文献１】特開２００７−２３９４０１号公報
【発明の概要】
【発明が解決しようとする課題】
【０００５】
しかし、特許文献１に開示された遊間用止水材では、止水シートが凸部や凹部の内部に向けて屈曲しているため、隔壁の変形が、止水シートによって妨げられることがある。さらには、止水シートは山型形状を呈するように屈曲されているが、そのような形状の止水シートは、橋軸方向における変形量が限定的である。したがって、特許文献１の遊間用止水材は、遊間距離の変化に追従して、橋軸方向に十分に伸縮できないことがある。また、上記遊間止水材は、凹型止水材と凸型止水材が嵌め合わされて構成されるため、その構造が複雑になるとの問題もある。
【０００６】
そこで、本発明は上記問題点に鑑みて成されたものであり、比較的簡単な構造で高い鉛直剛性を維持しつつ、遊間距離が変化する方向への伸縮性を良好にすることが可能な遊間用止水材を提供することを目的とする。
【課題を解決するための手段】
【０００７】
本発明に係る遊間用止水材は、所定方向に相対する２つの端面の間の遊間に設けられ、隔壁によって仕切られた上下に延びるセルが複数並べられて形成されるハニカム構造体を備える。ハニカム構造体は所定方向に伸縮できるように、隔壁が屈曲部又は湾曲部を有している。セルそれぞれは、そのセルを形成する隔壁の上端全周に接続されてその隔壁と一体に形成されるとともに、上方に膨らんだ形状を有する止水膜によって覆われていることを特徴とする。
【０００８】
止水膜は例えば、上面と、その上面と隔壁の上端とを接続する側面とを備えている。側面は好ましくは、所定方向に伸縮できるように、屈曲部又は湾曲部を有する。さらに、上記側面に形成された屈曲部又は湾曲部は、隔壁の屈曲部又は湾曲部に接続することが好ましい。なお、上面は例えば平面であるとともに、例えば側面は、上面に向かうに従って窄まるように内側に傾斜している。さらに、隣接した２つのセルそれぞれを覆う止水膜は、所定の間隙を介して配置されることが好ましい。
【０００９】
ハニカム構造体には、所定方向に垂直である平面隔壁が所定方向に複数並べられており、隣接する２つの平面隔壁の間には、上記湾曲部又は屈曲部を有する隔壁によって仕切られた複数のセルが形成されていることが好ましい。例えば、隣接する２つの平面隔壁の間に設けられた隔壁は、所定方向に直交する方向に沿って複数並べられると共に、それぞれが屈曲部又は湾曲部を有することによって、直交する方向に沿う一方向又はその反対方向に向けて膨らんでいる。そしてこの場合例えば、隣接する２つの平面隔壁の間の複数の隔壁は、直交する方向に沿って、交互に一方向及び反対方向に膨らんでいる。
【００１０】
隣接する２つの平面隔壁の間に設けられた隔壁は、例えば９０°で屈曲する屈曲部を有するとともに、例えば平面隔壁に４５°の角度で接続される。また、例えば、隣接する２つの平面隔壁の間に設けられた隔壁の厚さは、同一の高さ位置において、平面隔壁の厚さよりも薄い。
【００１１】
ハニカム構造体は所定の間隙を介して、所定方向に直交する方向に複数並べられるとともに、その間隙の上にも止水膜が設けられることが好ましい。
【００１２】
例えば、ハニカム構造体及び止水膜から構成される止水材本体の所定方向における端部には、耳部が連設されている。この場合例えば、耳部の上方には、端面に固定される固定部材が設けられるとともに、耳部の下方に押え部材が設けられる。そして、押え部材は耳部を挟み込みつつ固定部材に固定されており、さらにハニカム構造体は、押え部材を介して、端面に上記所定方向に押圧されて圧縮されることが好ましい。押え部材が耳部を押さえつけて挟み込むための押え板部と、押え板部から下向きに突出する突出板部とを備え、ハニカム構造体が突出板部によって、上記所定方向に押圧されることが特に好ましい。
【発明の効果】
【００１３】
本発明では、止水材を構成するハニカム構造体のセル隔壁によって鉛直剛性を高めつつ、止水膜がハニカム構造体のセルそれぞれから上方に膨らんだ形状を有することにより、止水材を橋軸方向に伸縮しやすくすることができる。
【図面の簡単な説明】
【００１４】
【図１】本発明の第１の実施形態に係る遊間用止水材を示す斜視図である。
【図２】止水材本体を下方から見た斜視図である。
【図３】止水材本体の上面図である。
【図４】図３におけるIV−IV線上の矢視断面図である。
【図５】図３におけるV−V線上の矢視断面図である。
【図６】図４におけるVI−VI線上の矢視断面図である。
【図７】止水材本体の橋幅方向における端部を示した断面図である。
【図８】止水材本体と腹板との接続構造を示した断面図である。
【図９】本発明の第２の実施形態に係る遊間用止水材を示す斜視図である。
【図１０】ハニカム構造体の変形例を示す模式的な断面図である。
【図１１】ハニカム構造体の変形例を示す模式的な断面図である。
【発明を実施するための形態】
【００１５】
以下、図面を参照しつつ本発明の実施形態について説明する。
図１は、本発明の第１の実施形態に係る遊間用止水材を示した斜視図である。なお、各図においては、ハニカム構造体が圧縮されていない状態（非圧縮状態）が示される。また、以下の説明では、道路橋の長手方向を橋軸方向Ｌ、橋軸方向Ｌに直交する道路橋の幅方向を橋幅方向Ｄとし、上下方向Ｈは橋軸方向Ｌ及び橋幅方向Ｄに直交する方向となる。なお、通常、橋軸方向Ｌ及び橋幅方向Ｄは水平方向、上下方向Ｈは鉛直方向であるが、これらは水平方向及び鉛直方向から傾いていても良い。
【００１６】
図１に示すように、例えば道路橋の２つの橋梁部１１、１１の間には、遊間１７が形成され、遊間１７は互いに噛み合うように配置された一対の櫛形鋼板ジョイント１３、１３によって覆われている。櫛形鋼板ジョイント１３、１３は、橋梁部１１、１１の上面と同一平面上に配置されるように、各橋梁部１１、１１に固定さている。橋梁部１１、１１が収縮・膨張すると、遊間距離が変化し、それに伴い一対の櫛形鋼板ジョイント１３、１３の噛み合う長さも変化する。
【００１７】
各櫛形鋼板ジョイント１３、１３それぞれの下方には、橋梁部１１、１１それぞれに固定される腹板１４、１４が設けられ、腹板１４、１４の内面１２、１２が橋梁部１１、１１の端面を構成する。内面１２、１２は、橋軸方向Ｌに垂直で、かつ橋軸方向Ｌに相対しており、これらの間に遊間１７が形成される。遊間用止水材１０は、遊間１７に配置されており、受け部材２１と、受け部材２１の上に載せられる止水材本体２０と、止水材本体２０の上に配置される保護層２４とを備える。
【００１８】
受け部材２１は、複数の左側鋼板２５と、複数の右側鋼板２６から構成される。これら鋼板２５、２６それぞれは、橋軸方向Ｌに延びる受け板２７Ａ、２７Ｂと、その端部から下方に延出する固定部２８Ａ、２８ＢによってＬ字状に形成され、固定部２８Ａ、２８Ｂそれぞれが内面１２、１２それぞれに固定される。左側鋼板２５の受け板２７Ａの上面は、右側鋼板２６の受け板２７Ｂの上面と同一平面上に配置され、これら受け板２７Ａ、２８Ｂの上に止水材本体２０が配置される。受け板２７Ａは、所定の間隔をおいて橋幅方向Ｄにおいて複数並べられており、その各間隔に受け板２７Ｂが挿入されており、遊間距離の変化に伴って、受け板２７Ｂの挿入される長さが変化する。
【００１９】
止水材本体２０は、ハニカム構造体１９と、止水膜３６とを有する。図１、２に示すように、ハニカム構造体１９は、セル隔壁３１によって仕切られたセル３２が、上下方向Ｈに垂直な面に沿って連続的に複数並べられたものである。セル隔壁３１は、上下方向Ｈに沿って設けられた面であるため、セル３２は上下方向Ｈに延びるセルとなる。下記で詳述するように、ハニカム構造体１９が橋軸方向Ｌに伸縮できるように、セル隔壁３１には屈曲部３４が形成されている。また、ハニカム構造体１９は、間隙５２を介して橋幅方向Ｄに複数並べられる。
【００２０】
セル３２それぞれは、そのセル３２を形成するセル隔壁３１の上端全周に接続された止水膜３６によって覆われている。止水材本体２０の橋軸方向Ｌにおける両端には、止水材本体２０と一体的に形成された耳部３５、３５が設けられる。耳部３５は、上下方向Ｈに直交するシート状のものである。耳部３５、３５の下方及び上方それぞれには、押え部材４３、４３、及び内面１２、１２に固定された固定部材４１、４１が設けられる。各耳部３５は、これら固定部材４１及び押え部材４３に挟まれて、内面１２に取り付け固定される。
【００２１】
保護層２４は、連続気泡フォームや独立／連続混在気泡フォームから構成される防塵フォームであって、上下方向Ｈ、橋軸方向Ｌ及び橋幅方向Ｄのいずれの方向にも高い伸縮性を有する。保護層２４は、櫛形鋼板ジョイント１３と止水材本体２０との間の隙間を埋め、土砂等が止水材本体２０の上に堆積されるのを防止する。但し、保護層２４は場合によっては省略することも可能である。保護層２４を省略する場合、櫛型鋼板ジョイント１３下面に接する位置に止水材本体を配置することで隙間を少なくした方が良い。
【００２２】
止水材本体２０（複数のハニカム構造体１９、止水膜３６、及び耳部３５）は、例えば金型成型によって一体的に成型されるものであって弾性材料で形成される。弾性材料としては、クロロプレン等のゴムが使用される。止水材本体２０を構成するゴムの硬さは、例えば５０°〜９０°であるが、特に好ましくは７０°〜８０°である。ゴム硬さをこのような範囲にすることによって、ハニカム構造体１９は、上下方向Ｈにおける耐荷性能、及び橋軸方向Ｌにおける伸縮性の両方を良好なものとすることができる。ゴム硬さは、ＪＩＳ Ｋ ６２５３に従って、温度２３℃で測定されるタイプＡデュロメータ硬さである。
【００２３】
次に、図３〜図６を用いてハニカム構造体についてさらに詳細に説明する。ハニカム構造体１９では、図６に示すように、橋軸方向Ｌに垂直である平面隔壁３１Ｌが、橋軸方向Ｌに複数並べられている。そして、隣接する２つの平面隔壁３１Ｌ、３１Ｌの間の空間（列Ｃ）はさらに、橋幅方向Ｄに複数並べられた屈曲隔壁３１Ｍによって仕切られ、これにより、ハニカム構造体１９の各セル３２が形成される。すなわち、各セル３２を形成するセル隔壁３１それぞれは、対向する一対の平面隔壁３１Ｌ、３１Ｌそれぞれの一部と、対向する一対の屈曲隔壁３１Ｍ、３１Ｍとから成る。なお、ハニカム構造体１９は橋幅方向Ｄに複数設けられるが、各ハニカム構造体１９の列Ｃそれぞれは、橋軸方向Ｌにおいて、他のハニカム構造体１９の列Ｃそれぞれと同じ位置に配置される。
【００２４】
屈曲隔壁３１Ｍは、上下方向Ｈに垂直な面において屈曲されており、上下方向Ｈに延在する屈曲部３４が形成される。屈曲部３４は、屈曲隔壁３１Ｍの橋軸方向Ｌにおける中央部に設けられる。これにより、屈曲隔壁３１Ｍは上下方向Ｈに沿う２つの平面から構成されて断面Ｖ字状を呈する。屈曲隔壁３１Ｍは、屈曲部３４を起点として、その屈曲角度Ｒ１を変化させることによって橋軸方向Ｌに伸縮する。各屈曲隔壁３１Ｍが伸縮することにより、ハニカム構造体１９全体も橋軸方向Ｌに伸縮する。
【００２５】
屈曲隔壁３１Ｍは、屈曲部３４によって、橋幅方向Ｄに沿う一方向又はその反対方向に向けて膨らむ。本実施形態では、屈曲隔壁３１Ｍは、橋軸方向Ｄに沿って、上記一方向及びその反対方向に交互に膨らんでおり、各列Ｃには、橋幅方向Ｄに沿って凹六角形のセル３２と凸六角形のセル３２が交互に並べられる。各列Ｃは同一構造を有しており、そのため、凹六角形のセル３２が橋軸方向Ｌに沿って複数並べられて形成されたセル行Ｅ１と、凸六角形のセル３２が橋軸方向Ｌに沿って複数並べられて形成されたセル行Ｅ２とが、橋幅方向Ｄに交互に並べられる。なお、本実施形態では、各ハニカム構造体１９は２つのセル行Ｅ２と１つのセル行Ｅ１とで構成されるが、セル行の数は特に限定されない。
【００２６】
図６に示す非圧縮状態において、屈曲角度Ｒ１は、９０〜１２０°であることが好ましいが、９０°であることが最も好ましい。ハニカム構造体１９において、屈曲角度Ｒ１は全て同一であることが好ましい。また非圧縮状態において、屈曲隔壁３１Ｍと平面隔壁３１Ｌとの接続角度Ｒ２は、４５〜６０°であることが好ましく、４５°であることが特に好ましい。また、ハニカム構造体１９における接続角度Ｒ２は全て同一であることが好ましい。屈曲角度Ｒ１や接続角度Ｒ２が上記角度であると、水平反力が小さくなり、ハニカム構造体１９が橋軸方向Ｌに伸縮しやすくなる。なお、接続角度Ｒ２は、ハニカム構造体１９が圧縮されて屈曲角度Ｒ１が小さくなることに伴って小さくなるものである。
【００２７】
止水材本体２０の高さｈは、例えばセル３２の橋軸方向の寸法ｗが２０ｍｍの場合、５０〜１００ｍｍであることが好ましく、５０ｍｍであることが特に好ましい。すなわち、ｈ／ｗは２．５〜５．０であることが好ましく、特に好ましくは２．５である。ｈ／ｗが２．５未満になると、圧縮されたときに上下方向への撓みが発生しやすくなる。
【００２８】
屈曲隔壁３１Ｍ及び平面隔壁３１Ｌは、金型等のキャビティから脱型しやすくするために抜き勾配がつけられており、図４、５に示すように、下方に向かうに従って、その厚さＴ１、Ｔ２は薄くなる。屈曲隔壁３１Ｍの厚さＴ１は、同一の高さ位置（上下方向Ｈが同じ位置）における平面隔壁３１Ｌの厚さＴ２よりも薄いことが好ましい。このように屈曲隔壁３１Ｍの厚さを薄くすることによって、ハニカム構造体１９が橋軸方向Ｌに伸縮しやすくなる。また、平面隔壁３１Ｌの厚さを厚くすることによって、ハニカム構造体１９の鉛直剛性を高めることができる。
【００２９】
屈曲隔壁３１Ｍの最下方位置における厚さＴ１Ｂは、好ましくは０．５ｍｍ〜２．０ｍｍ、特に好ましくは１ｍｍである。また、平面隔壁３１Ｌの最下方位置における厚さＴ２Ｂは好ましくは１ｍｍ〜３ｍｍ、特に好ましくは１．５ｍｍである。
【００３０】
図３〜５から明らかなように、セル３２それぞれを覆う止水膜３６は、そのセル３２を形成するセル隔壁３１の上端３１Ｕ全周に接続されてそのセル隔壁３１と一体に形成され、セル３２の上端から上方に膨らんだ形状を有する。具体的には、止水膜３６は、上下方向Ｈに垂直な平面である上面３７と、上面３７とセル隔壁３１の上端３１Ｕとを接続する側面３８とを備える。
【００３１】
各止水膜３６において、側面３８は、橋軸方向Ｌに沿って並べられた一対の平面側面３８Ｌ、３８Ｌと、橋幅方向Ｄに沿って並べられる一対の屈曲側面３８Ｍ、３８Ｍとから成る。屈曲側面３８Ｍは、上下方向Ｈに垂直な垂直面において屈曲されて屈曲部３９が形成される。屈曲側面３８Ｍにおいて屈曲部３９は橋軸方向Ｌにおける中央部に設けられ、屈曲側面３８Ｍは２つの平面からなる断面Ｖ字状の側面である。これにより各止水膜３６は、屈曲部３９を起点に、ハニカム構造体１９とともに橋軸方向Ｌに伸縮できるようになる。なお本実施形態では、屈曲部３４、３９は、面取りされた構成を有しており、曲率面で構成される。
【００３２】
各セル３２において、平面側面３８Ｌの下端は、そのセル３２のセル隔壁３１を構成する平面隔壁３１Ｌの上端に接続される。また、屈曲側面３８Ｍの下端は屈曲隔壁３１Ｍの上端に接続されるとともに、屈曲部３９の下端も屈曲部３４の上端に接続される。すなわち、凹六角形状のセル３２の上部を覆う止水膜３６の側面３８は、そのセル３２を形成するセル隔壁３１の断面形状と略一致した形状を有し、断面凹六角形状を呈する。また、凸六角形状のセル３２の上部を覆う止水膜３６の側面３８は、そのセル３２を形成するセル隔壁３１の断面形状と略一致した形状を有し、断面凸六角形状を呈する。このようにして、セル３２と同様に、各セル行Ｅ１には、側面３８が凹六角形断面を有する止水膜３６が並べられるとともに、セル行Ｅ２には、側面３８が凸六角形断面を有する止水膜３６が並べられる。また、各列Ｃでは、側面３８が凹六角形断面を有する止水膜３６と、側面３８が凸六角形断面を有する止水膜３６とが交互に並べられる。
【００３３】
同一セル行Ｅ１又はＥ２（橋軸方向Ｌ）において隣接する止水膜３６、３６は、平面側面３８Ｌ、３８Ｌ同士が互いに微小間隙５１を介して対向する。図４に示すように、これら対向する２つの平面側面３８Ｌ、３８Ｌの下端は、平面隔壁３１Ｌの上端の同一部分に接続し、これらの平面側面３８Ｌ、３８Ｌの下端同士も接続される。同様に、同一列Ｃ（橋幅方向Ｄ）において隣接する２つの止水膜３６、３６は、屈曲側面３８Ｍ、３８Ｍ同士が、微小間隙５１を介して対向する。これら対向する屈曲側面３８Ｍ、３８Ｍの下端は、図５に示すように、同一の屈曲隔壁３１Ｍの上端に接続し、これら屈曲側面３８Ｍ、３８Ｍの下端同士も接続される。
【００３４】
各止水膜３６において側面３８（屈曲側面３８Ｍ、平面側面３８Ｌ）は、上面３７に向かうに従って窄まるように内側に傾斜した傾斜面である。したがって、隣接する止水膜３６の側面３８間の微小間隙５１は上方に向かうに従って大きくなる。側面３８の傾斜は、金型等のキャビティによって成型された止水膜３６を脱型しやすくするための抜き勾配となる。
【００３５】
上記したように、止水材本体２０では、間隙５２を介して、橋幅方向Ｄに沿って複数のハニカム構造体１９が並べられている。図２、６に示すように間隙５２は、セル１行分の間隙であって、上記セル行Ｅ２から平面隔壁３１Ｌを取り除いた構造を有しており、凸六角柱が橋軸方向Ｌに沿って複数連なった形状を呈する。すなわち、間隙５２は、隣接するハニカム構造体１９、１９それぞれの橋幅方向Ｄにおける端部に配置されたセル行Ｅ１、Ｅ１間に設けられたものであって、そのセル行Ｅ１、Ｅ１のセル３２、３２を形成する湾曲隔壁３１Ｍ、３１Ｍの間に形成された空間である。
【００３６】
一方、図３に示すように、止水材本体２０において、間隙５２の上に配置される止水膜３６は取り除かれていない。したがって、間隙５２の上部は、上記した断面凸六角形状の側面３８を有する複数の止水膜３６が、橋軸方向Ｌに沿って連なって形成されたもので塞がれている。このような構成により、間隙５２から漏水することが防止されている。すなわち本実施形態では、ハニカム構造体１９の上部及び間隙５２の上部にわたって、多数の止水膜３６が、橋軸方向Ｌ及び橋幅方向Ｄに連続的に敷き詰められており、これにより遊間全体の漏水が防止される。
【００３７】
橋幅方向Ｄにおける止水材本体２０の端部は、道路橋の地覆部に合わせて上方に曲げ上げられることがあるが、このような曲げ上げは、図７に示すように、間隙５２が設けられた部分を起点に容易に行うことができる。なお、間隙５２は、止水部材本体２０の橋幅方向Ｄにおける端部近傍のみに設けられていても良いが、図２に示すように、所定距離ごとに設けられていたほうが良い。間隙５２が所定距離ごとに設けられることにより、止水材本体２０を大量生産しやすくなるからである。
【００３８】
次に、図８を用いて止水材本体２０が腹板１４の内面１２に取り付けられる構造を説明する。なお、以下の説明では、止水材本体２０が一方の内面１２に取り付けられる構造を説明するが、止水材本体２０が他方の内面１２に取り付けられる構造も同様である。図８に示すように、耳部３５は、止水材本体２０の橋軸方向Ｌにおける端部に配置された止水膜３６の下端に接続される。固定部材４１は上下方向Ｈに垂直な平板状を呈し、上記した保護層２４は、固定部材４１及び止水膜３６の上面に載せられる。
【００３９】
固定部材４１は、その下面から下方に突出し、外周にネジが切られたボルト部４２を備える。押え部材４３は、上下方向Ｈに垂直に設けられ、平板状に形成される押え板部４４と、押え板部４４の端部から下向きに突出し、橋軸方向Ｌに垂直な突出板部４５とを備え、Ｌ字状に形成される。突出板部４５の内面は、ハニカム構造体１９の橋軸方向Ｌにおける端部（すなわち、平面隔壁３１Ｌ）に当接する。すなわち、ハニカム構造体１９は、図１に示すように、橋軸方向Ｌに沿って、２枚の突出板部４５、４５に挟みこまれることとなる。
【００４０】
耳部３５及び押え板部４４それぞれには、孔３５Ｈ、孔４４Ｈが穿設されている。ボルト部４２には、孔３５Ｈ、４４Ｈ、及びナット４７がこの順に挿入されている。そして、ナット４７が締結されることにより、押え板部４４は、耳部３５を挟み込んだ状態で固定部材４１に固定される。以上の構成により、耳部３５は固定部材４１に固定され、止水材本体２０は、腹板の内面１２、１２との間の水密を確保した状態で、内面１２に取り付けられる。
【００４１】
次に、再び図１を用いて本実施形態に係る止水材本体２０の作用を説明する。橋梁部１１、１１が伸縮し、内面１２、１２の少なくとも一方が橋軸方向Ｌに移動し、遊間距離が短くなると、それに追従して突出板部４５、４５間の離間距離も短くなり、突出板部４５、４５によって、止水材本体２０が橋軸方向Ｌに挟圧される。ここで、ハニカム構造体１９及び止水膜３６は、ともに屈曲部を有するとともに、止水膜３６はセル３２から上方に膨らんでいる。したがって、上記挟圧により止水材本体２０は、無理な応力が作用されずに橋軸方向Ｌに圧縮されるとともに、その圧縮が止水膜３６によって阻害されにくくなる。また、遊間距離が長くなった場合、圧縮していた止水材本体２０は、橋軸方向に復元・拡張する。以上のように、本実施形態に係る止水材本体２０は遊間距離の変化に追従して、橋軸方向Ｌに容易に伸縮可能であり、伸縮性が良好なものとなっている。
【００４２】
また、ハニカム構造体１９は、鉛直方向における剛性が高いので、保護層２４の上に土砂が堆積しても、ハニカム構造体１９の下方への沈下を抑制でき、止水材本体２０の耐久性を向上することが可能である。さらに、本実施形態では、ハニカム構造体１９と止水膜３６が一体に成形されるので、止水材本体２０を容易に製造することができる。
【００４３】
止水材本体２０は、上記したように、道路橋の伸縮に伴い橋軸方向Ｌに伸縮されるが、遊間１７に設置された止水材本体２０は、道路橋が温度変化に伴い伸縮しても、図６等に示した非圧縮状態よりも、橋軸方向Ｌに拡張しないように施工されている。そのため通常、止水材本体２０は、橋軸方向Ｌに所定量圧縮した状態で遊間１７に施工される。
【００４４】
一方、止水材本体２０には、橋軸方向Ｌに沿って対向する平面側面３８Ｌ、３８Ｌの間に微小間隙５１が設けられる。そのため止水材本体２０は、非圧縮状態から橋軸方向Ｌに圧縮された場合、平面側面３８Ｌ、３８Ｌ同士が密着するまでの間、比較的小さい力で大きく圧縮される。したがって、止水材本体２０は、施工時に非圧縮状態から比較的小さい力で上記所定量まで圧縮可能であるので、止水材本体２０の施工性は良好になる。
【００４５】
次に、図９を用いて、本発明の第２の実施形態について説明する。本実施形態において、第１の実施形態と異なる点は、固定部材、耳部、および押え部材の代わりに、不陸吸収調整材及び支柱層が設けられる点である。以下、第２の実施形態について説明する。
【００４６】
本実施形態では、支柱層６１、６１それぞれは、受け部材２１の上に配置されているものであって、不陸吸収調整材６０、６０を介して腹板１４、１４の内面１２、１２それぞれに接着される。不陸吸収調整材６０は、内面１２、１２の凹凸を吸収するためのものであって、例えば連続気泡フォーム等の弾性材料で形成される。不陸吸収調整材６０、６０は、接着剤が含浸されており、支柱層６１、６１と内面１４、１４との間を水密に維持する。また、支柱層６１、６１の内面は、水密を維持した状態で、止水材本体２０の橋軸方向Ｌにおける両端に接着され、支柱層６１と止水材本体２０との間から漏水することが防止される。
【００４７】
支柱層６１は、不陸吸収調整材６０よりも弾性率が高い独立気泡フォーム、ゴム等の弾性材料によって形成され、支柱層６１の橋軸方向Ｌにおける伸縮性は、止水材本体２０の橋軸方向Ｌにおける伸縮性より低くなる。また不陸吸収調整材６０は接着剤が含浸されており、実質的に伸縮性を有していない。したがって、遊間距離が変化すると、不陸吸収調整材６０や支柱層６１は止水材本体２０とともに、内面１２、１２によって橋軸方向Ｌに挟圧されるが、不陸吸収調整材６０や支柱層６１は実質的に伸縮されず、止水材本体２０のみが橋軸方向Ｌに伸縮される。なお、本実施形態では、支柱層６１、６１が省略されて、止水材本体２０の橋軸方向Ｌにおける両端が、不陸吸収調整材６０、６０に直接接着されても良い。
【００４８】
なお、ハニカム構造体１９の構造は、上記構造に限定されるものではなく、例えば、図１０、１１に示す構造を有していても良い。例えば、図１０（ａ）に示すように、断面Ｖ字状の屈曲隔壁３１Ｍ全てが、橋幅方向Ｄに沿う一方向に膨らんでいても良い。また、図１０（ｂ）に示すように、屈曲隔壁３１Ｍの全てが、橋幅方向Ｄに沿う一方向に膨らむ列Ｃ１と、屈曲隔壁３１Ｍの全てが橋幅方向Ｄに沿う反対方向に膨らむ列Ｃ２とが、橋幅方向Ｌに交互に並べられていても良い。
【００４９】
また、図１０（ｃ）に示すように、隣接する２つの平面隔壁３１Ｌ、３１Ｌの間に設けられた各隔壁が、上下方向Ｈ（図１参照）に垂直する面において湾曲し、湾曲部が形成された湾曲隔壁３１Ｎであっても良い。この場合、セル３２を覆う止水膜の側面は、セル隔壁の形状に合わせて湾曲部を有することとなる。さらに、図１０（ｄ）に示すように、２つの平面隔壁３１Ｌ、３１Ｌの間に設けられた各隔壁が、湾曲又は屈曲しておらず、平面状の平面隔壁３１Ｐ、３１Ｐであっても良い。このような場合、平面隔壁３１Ｐ、３１Ｌの接続部分３１Ｃが屈曲部と成り、ハニカム構造体１９は、その接続部分を起点に伸縮可能である。なお、この場合には、図１０（ｄ）に示すように、平面隔壁３１Ｐ、３１Ｌの接続角度Ｒ２は、９０°未満である必要がある。
【００５０】
さらに、２つの平面隔壁３１Ｌ、３１Ｌの間に、複数のセル３２が形成された構造を有していなくても良く、例えば、図１１に示すように、行Ｅ２の各凹六角形のセル３２が、行Ｅ１の隣接する２つの凹六角形のセル３２の間に配置されても良い。
【符号の説明】
【００５１】
１０  遊間用止水材
１２  内面（端面）
１４  腹板
１７  遊間
１９  ハニカム構造体
２０  止水材本体
３１  セル隔壁
３１Ｌ  平面隔壁
３１Ｍ  屈曲隔壁
３２  セル
３４  屈曲部
３５  耳部
３６  止水膜
３７  上面
３８  側面
３８Ｌ  平面側面
３８Ｍ  屈曲側面
【図１】
2010189929.tif 000003
【図２】
2010189929.tif 000004
【図３】
2010189929.tif 000005
【図４】
2010189929.tif 000006
【図５】
2010189929.tif 000007
【図６】
2010189929.tif 000008
【図７】
2010189929.tif 000009
【図８】
2010189929.tif 000010
【図９】
2010189929.tif 000011
【図１０】
2010189929.tif 000012
【図１１】
2010189929.tif 000013